(57)【特許請求の範囲】
【請求項１】
建物用付設物を建物躯体に取り付ける取付具を備えて構成される建物用付設物の取付構造であって、
建物躯体の外壁面を構成する外壁材および防水層を備えており、
前記防水層によって構成される外壁面は、前記外壁材によって構成される外壁面よりも室内側に位置しており、
前記取付具は、建物躯体の外壁面に沿って配置可能に形成された取付体と、前記取付体を前記建物躯体に固定可能に形成された固定具と、前記取付体を建物用付設物に連結可能に形成された連結具とを備えており、
前記連結具は、前記取付体から突出して配置され、前記取付体と前記建物用付設物との間隔を調整する調整材を装着可能に構成されており、
前記取付具は、前記建物躯体に固定した状態で、前記防水層に沿って配置されており、
前記取付具の取付体と前記建物用付設物との間隔の調整幅は、前記防水層によって構成される外壁面から前記外壁材によって構成される外壁面までの出幅に応じて設定される
ことを特徴とする建物用付設物の取付構造。
【請求項２】
請求項１に記載の建物用付設物の取付構造に用いられる取付具。
【請求項３】
請求項２に記載の取付具において、
前記取付体には、前記固定具の前記建物躯体への固定部分に配置されるシール材が設けられる
ことを特徴とする取付具。
【請求項４】
請求項３に記載の取付具において、
前記シール材は、乾式シール材によって形成され、
前記取付体には、前記シール材が配置される溝部が形成される
ことを特徴とする取付具。
【請求項５】
請求項３または請求項４に記載の取付具において、
前記取付体を前記建物躯体に固定した状態で前記シール材よりも上側に位置する前記取付体の部分には、水密材が装着される
ことを特徴とする取付具。
【請求項６】
請求項１から請求項５のいずれか一項に記載の取付具において、
前記取付体を前記建物躯体に固定した状態では、前記連結具の高さ位置は、前記固定具の高さ位置よりも低い
ことを特徴とする取付具。
【請求項７】
建物躯体の外壁面に沿って配置可能に長尺材によって形成された取付体と、
前記取付体を前記建物躯体に固定可能に形成された固定具と、
前記取付体を建物用付設物に連結可能に形成された連結具とを備えており、
前記連結具は、前記取付体から突出して配置され、前記取付体と前記建物用付設物との間隔を調整する調整材を装着可能に構成されており、
前記固定具および前記連結具は、前記取付体に複数取り付けられており、
前記複数の連結具は、前記取付体の長手方向において前記複数の固定具間の中間位置にそれぞれ配置される
ことを特徴とする建物用付設物の取付具。
【発明の詳細な説明】
【技術分野】
【０００１】
本発明は、ルーバー、格子などの外装建具やバルコニー、ベランダなどの外装構造体といった建物用付設物を、建物躯体に取り付ける建物用付設物の取付具および取付構造に関する。
【背景技術】
【０００２】
従来、引き違い窓等の建具の周囲には、外装建具や外装構造体などの建物用付設物が取り付けられる。例えば、特許文献１では、バルコニーを建物躯体に取り付ける取付構造が提案されている。特許文献１に記載のバルコニーは、左右二本の桁材を含む構造材によって骨組みされた床部にデッキ材が敷設されて構成されている。そして、特許文献１に記載の取付構造は、ベース部およびアーム部を有した取付部材を備え、取付部材のベース部を建物躯体にボルト止めし、アーム部をバルコニーの桁材に挿入してボルト止めすることによって、バルコニーを建物躯体に取り付けている。
【先行技術文献】
【特許文献】
【０００３】
【特許文献１】特開２００２−４４０６号公報
【発明の概要】
【発明が解決しようとする課題】
【０００４】
ところで、戸建住宅の２，３階においてテラス窓などの建具が設置される建物壁部の外壁面には、外壁材（サイディング）が設けられるが、建具よりも下方部分には、前述した外壁材ではなく、防水層が設けられる場合がある。この場合には、防水層によって構成される外壁面は、外壁材によって構成される外壁面よりも室内側の位置に段落ちして配置されることがある。
防水層によって構成される外壁面が段落ちしている場合、面一な外壁面に取付可能に形成された建物用付設物を当該外壁面に取り付け、防水層の防水性を維持可能にかつ適切な位置に配置することは困難である。
また、建物用付設物を、前述した防水層が施工された建物躯体に後付施工できることが望ましい。
【０００５】
本発明の目的は、建物用付設物を、防水層が施工された建物躯体に後付施工でき、かつ、防水性を維持しつつ取付位置を調整可能な建物用付設物の取付具および取付構造を提供することにある。
【課題を解決するための手段】
【０００６】
本発明の建物用付設物の取付構造は、建物用付設物を建物躯体に取り付ける取付具を備えて構成される建物用付設物の取付構造であって、建物躯体の外壁面を構成する外壁材および防水層を備えており、前記防水層によって構成される外壁面は、前記外壁材によって構成される外壁面よりも室内側に位置しており、前記取付具は、建物躯体の外壁面に沿って配置可能に形成された取付体と、前記取付体を前記建物躯体に固定可能に形成された固定具と、前記取付体を建物用付設物に連結可能に形成された連結具とを備えており、前記連結具は、前記取付体から突出して配置され、前記取付体と前記建物用付設物との間隔を調整する調整材を装着可能に構成されており、前記取付具は、前記建物躯体に固定した状態で、前記防水層に沿って配置されており、前記取付具の取付体と前記建物用付設物との間隔の調整幅は、前記防水層によって構成される外壁面から前記外壁材によって構成される外壁面までの出幅に応じて設定されることを特徴とする。
本発明の建物用付設物の取付構造によれば、建物躯体に防水層が施工された後であっても、この防水層によって構成される外壁面に沿って取付体を配置し、配置した取付体を固定具によって建物躯体に固定することで、取付具を防水層の施工後に後付施工できる。そして、建物用付設物を連結具によって取付体に連結することで、建物用付設物を建物躯体に取り付けることができる。
また、建物躯体の外壁面に沿って配置された取付体が、固定具によって建物躯体に固定されるとともに、固定具と分けられた連結具によって取付体が建物用付設物に連結されることで、建物用付設物から加えられる負荷が取付体によって分散され、固定具に集中することがなくなる。このため、建物用付設物からの負荷に基づいて取付具および建物躯体間の水密性が低下することを抑制でき、建物躯体に施工される防水層の防水性を維持できる。
さらに、取付体と建物用付設物との間隔を調整する調整材を連結具に装着し、または、連結具から外して、取付体と建物用付設物との間隔の調整幅を、防水層によって構成される外壁面から外壁材によって構成される外壁面までの出幅に応じて設定することで、例えば、面一な外壁面に装着可能に構成された既存の建物用付設物を、外壁材の外壁面よりも室内側に位置した防水層の外壁面に適切に取り付けることができる。このように、建物用付設物の建物躯体に対する取付位置を調整でき、適切な位置に配置できる。
なお、防水層としては、例えば、ガラス繊維等の補強材に樹脂を含浸し硬化させたＦＲＰ防水層が挙げられる。
また、調整材としては、ワッシャーによって構成されてもよく、また、所定長さに適宜カットされたパイプによって構成されてもよい。
【０００７】
本発明の取付具は、前述した本発明の建物用敷設物の取付構造に用いられるものであり、前述したように、建物躯体の外壁面に沿って配置可能に形成された取付体と、前記取付体を前記建物躯体に固定可能に形成された固定具と、前記取付体を建物用付設物に連結可能に形成された連結具とを備えており、前記連結具は、前記取付体から突出して配置され、前記取付体と前記建物用付設物との間隔を前記出幅に応じて調整する調整材を装着可能に構成されることを特徴とする。
本発明の建物用付設物の取付具によれば、前述した本発明の取付構造の作用効果と同様の作用効果を発揮可能な取付具を構成できる。
【０００８】
本発明の建物用付設物の取付具では、前記取付体には、前記固定具の前記建物躯体への固定部分に配置されるシール材が設けられることが好ましい。
このような構成によれば、前記固定具の前記建物躯体への固定部分にシール材が配置されるため、例えば建物躯体に対する取付体の当接面全体にシーリング処理を施すなどの必要をなくすことができ、取付体および建物躯体間をシールするのに必要なシール材を少なくできる。
【０００９】
本発明の建物用付設物の取付具では、前記シール材は、乾式シール材によって形成され、前記取付体には、前記シール材が配置される溝部が形成されることが好ましい。
このような構成によれば、取付体の溝部に乾式シール材を装着することで、取付体を固定具によって建物躯体に固定するだけで、取付体と建物躯体との連結部分をシールでき、また、取付体と防水層との間に別途シーリング処理を施す必要をなくし得る。これにより、取付作業性を向上できる。
【００１０】
本発明の建物用付設物の取付具では、前記取付体を前記建物躯体に固定した状態で前記シール材よりも上側に位置する前記取付体の部分には、水密材が装着されることが好ましい。
このような構成によれば、固定具の建物躯体への固定部分に配置されるシール材によって一次防水部分を構成できるうえ、シール材よりも上側の位置に水密材が装着されることによって二次防水部分を構成でき、防水性を向上できる。
【００１２】
本発明の建物用付設物の取付具では、前記取付体を前記建物躯体に固定した状態では、前記連結具の高さ位置は、前記固定具の高さ位置よりも低いことが好ましい。
このような構成によれば、建物用付設物に連結された連結具に雨水等がつたって浸入しても、当該雨水等が連結具よりも高い位置にある固定具に到達することがなく、防水性を向上できる。
【００１３】
本発明の建物用付設物の取付具は、建物躯体の外壁面に沿って配置可能に長尺材によって形成された取付体と、前記取付体を前記建物躯体に固定可能に形成された固定具と、前記取付体を建物用付設物に連結可能に形成された連結具とを備えており、前記連結具は、前記取付体から突出して配置され、前記取付体と前記建物用付設物との間隔を調整する調整材を装着可能に構成されており、前記固定具および前記連結具は、前記取付体に複数取り付けられており、前記複数の連結具は、前記取付体の長手方向において前記複数の固定具間の中間位置にそれぞれ配置されることが好ましい。
このような構成によれば、前述した本発明の取付具の作用効果を発揮できるうえ、複数の連結具が、取付体の長手方向において複数の固定具間の中間位置にそれぞれ配置されるため、建物用付設物から取付具を介して建物躯体に加わる負荷を当該取付体によって効率よく分散でき、建物用付設物からの負荷に基づいて取付具および建物躯体間の水密性が低下することを、より抑制できる。
【発明の効果】
【００１４】
本発明によれば、建物用付設物を、防水層が施工された建物躯体に後付施工でき、かつ、防水性を維持しつつ取付位置を調整可能な建物用付設物の取付具および取付構造を提供できる。
【図面の簡単な説明】
【００１５】
【図１】本実施形態に係る取付具の設置状態を示す縦断面図。
【図２】前記実施形態に係る取付具の設置状態を示す外観姿図。
【図３】前記実施形態に係る取付具の第一の建物躯体への設置状態を拡大して示す縦断面図。
【図４】前記実施形態に係る取付具の第二の建物躯体への設置状態を拡大して示す縦断面図。
【図５】前記実施形態に係る取付具の第三の建物躯体への設置状態を拡大して示す縦断面図。
【図６】前記実施形態に係る取付具の第四の建物躯体への設置状態を拡大して示す縦断面図。
【図７】前記実施形態の変形例に係る取付具の設置状態を示す外観姿図。
【発明を実施するための形態】
【００１６】
［本実施形態の構成］
以下、本発明の実施形態を図面に基づいて説明する。
図１において、建物用付設物としてのルーバー１は、戸建住宅等の第一の建物躯体２の２，３階バルコニー３において建具である引き違い窓４（テラス窓）に対して室外側に配置される外装建具である。
【００１７】
建物躯体２は、上壁部２１、下壁部２２および左右の側壁部２３（図２参照）によって開口５を形成する建物壁部を有している。上壁部２１および左右の側壁部２３の室外側には、単層の下地板２４を介して外壁材２５（サイディング）が設けられている。下壁部２２の室外側には、単層の下地板２４を介してＦＲＰ防水層２６が設けられている。ＦＲＰ防水層２６は、ガラス繊維（補強材）に樹脂を含浸、硬化させることによって構成したものであり、下壁部２２およびバルコニー３の床下地を連続して覆って設けられている。
上壁部２１、下壁部２２および左右の側壁部２３のそれぞれに取り付けられた下地板２４の室外面は互いに面一である。当該下地板２４に取り付けられるＦＲＰ防水層２６は外壁材２５よりも厚み寸法が小さいので、ＦＲＰ防水層２６の室外面２６１（下壁部２２の外壁面）は、外壁材２５の室外面２５１（上壁部２１および左右の側壁部２３の外壁面）よりも室内側に段落ちした位置に配置されている。
【００１８】
引き違い窓４は、一般的に知られたものによって構成され、開口５に設けられている。
ルーバー１は、日除け用のルーバーであり、上枠３１と、下枠３２と、複数の外装障子３３とを備えている。外装障子３３には、下枠３２にガイドされるガイドアーム３５が取り付けられている。上枠３１および下枠３２は、アルミ製の押出形材によって形成されている。
【００１９】
上枠３１は、引き違い窓４の窓上枠４１よりも上方の位置で上壁部２１に固定ネジ６によってネジ止めされている。上枠３１は、左右方向（横方向）に延びた二本のガイドレール３１１，３１２を備えている。
外装障子３３は、左右の縦框３６と、左右の縦框３６間に上下方向に間隔を隔てて並んで配置された複数の羽根部材３７とをそれぞれ備えて構成されている。各縦框３６および各羽根部材３７はアルミ製の押出し形材によって形成されている。
各縦框３６の上端には戸車３８が取り付けられており、一方の縦框３６の戸車３８はガイドレール３１１にスライド可能に嵌合しており、他方の縦框３６の戸車３８はガイドレール３１２にスライド可能に嵌合している。
【００２０】
各羽根部材３７は、一方の縦框３６の室内側後縁に連結されているとともに、他方の縦框３６の室外側前縁に連結されている。複数の外装障子３３のうち互いに隣接する外装障子３３の各羽根部材３７は、上下方向に交互に位置している。このため、外装障子３３同士をスライドさせて重ね合せても、各羽根部材３７同士は干渉しない。
【００２１】
このように外装障子３３は、戸車３８を介して上枠３１にスライド可能に吊り下げ支持されている。外装障子３３は、左右方向にスライドすることで、引き違い窓４の室外側を覆う第一位置と、引き違い窓４の室外側から外れた第二位置（引き違い窓４の室外側を露呈させる位置）とに配置される構成となっている。
【００２２】
ガイドアーム３５は、外装障子３３の他方の縦框３６の下端にネジ止めされている。ガイドアーム３５は、金属製であり、外装障子３３の他方の縦框３６から室内側に延出した延出片部３５１と、延出片部３５１の室内端から上方に立ち上げられた立上げ片部３５２とを有して構成されている。
【００２３】
下枠３２は、引き違い窓４の窓下枠４２よりも下方の位置で、本実施形態に係る取付具５０によって下壁部２２に取り付けられている。下枠３２は、図３に示すように、下枠本体３２１と、下枠本体３２１にビス止めされているガイド体３２５とを備えて構成されている。
下枠本体３２１は、取付具５０に連結される断面コ字状の連結部３２２と、ガイドアーム３５の立上げ片部３５２に対して室内側から隙間を隔てて対向する対向部３２３とを有している。連結部３２２には、後述する各連結ボルト５３が挿通される複数の孔が形成されており、また、蓋部材３２４が係合している。下枠本体３２１は平坦な室内面を有している。
ガイド体３２５は、ガイドアーム３５の立上げ片部３５２に対して室外側から隙間を隔て対向する対向部３２６を有している。
対向部３２３，３２６には、樹脂製等の摺動部材７が装着されており、ガイドアーム３５の立上げ片部３５２を外壁に沿った左右方向にガイド可能に構成されている。
なお、下枠３２の長手方向における両端には小口カバーが取り付けられている。
【００２４】
本実施形態に係る取付具５０は、アルミ製の押出し形材によって形成された取付体５１と、取付体５１を下壁部２２に固定する複数の固定具であるコーチネジ５２（固定ネジ）と、取付体５１を下枠３２に連結する複数の連結具である連結ボルト５３およびナット５４（ロックナット）と、取付体５１にそれぞれ装着されたシール材５５および水密材５６とを備えて構成されている。連結ボルト５３には、下枠３２と取付体５１との間隔を調整する調整材としての複数のワッシャー５７が装着されている。
シール材５５および水密材５６は、取付体５１の長手方向に沿って延びて形成されている。シール材５５は、ブチルシーラー等の乾式シール材によって形成されており、水密材５６は、基部および環状当接部を有したタイト材によって形成されている。なお、シール材５５は、複数のピース材によって構成されていてもよい。
【００２５】
取付体５１は、左右方向に延びた長尺材によって形成されており、下枠３２と同じ長さを有している。取付体５１は、上側片部５１１と、固定片部５１２と、連続片部５１３と、連結片部５１４と、下側片部５１５と、装着部５１６とを有して構成されている。
上側片部５１１および連続片部５１３は、固定片部５１２から室外側に突出しており、連結片部５１４は、連続片部５１３の室外端に連続しており、下側片部５１５は、連結片部５１４から室内側に突出している。装着部５１６は、上側片部５１１のさらに上側部分に形成されており、水密材５６が装着されている。
上側片部５１１、固定片部５１２および連続片部５１３は、断面コ字状の固定部を構成しており、この固定部に蓋部材５１７が係合している。また、連続片部５１３、連結片部５１４および下側片部５１５は、断面逆コ字状の連結部を構成している。
【００２６】
固定片部５１２のＦＲＰ防水層２６側の面には、取付体５１の長手方向に沿って延びた溝部５１８が形成されており、溝部５１８には、各コーチネジ５２が挿通される複数の孔が形成されている。溝部５１８には、前述したシール材５５が配置されている。
連結片部５１４は、固定片部５１２よりも室外側であって下方位置（低い位置）に配置されている。連結片部５１４には、各連結ボルト５３が挿通される複数の孔が形成されている。
なお、取付体５１の長手方向における両端には、小口カバーが取り付けられている。
【００２７】
図２に示すように、コーチネジ５２は、固定片部５１２の長手方向に沿って一定の間隔を隔てて複数配置されており、連結ボルト５３は、連結片部５１４の長手方向に沿って一定の間隔を隔てて複数配置されている。本実施形態では、各連結ボルト５３は、取付体５１の長手方向において各コーチネジ５２間の略中間位置に配置されている。また、連結片部５１４の孔に挿通される連結ボルト５３の高さ位置は、固定片部５１２の孔に挿通されるコーチネジ５２の高さ位置よりも低い。
【００２８】
［ルーバーの取付手順］
以下、ルーバー１の建物躯体２への取付手順について説明する。建物躯体２には、既に、大工によって下地板２４の取付等の躯体工事が行われ、防水業者によってＦＲＰ防水層２６が施工され、製品取付業者によって引き違い窓４が設置されたものとする。その後のルーバー１の取付作業は製品取付業者によって次の通りに行われる。
先ず、上枠３１を固定ネジ６によって上壁部２１に固定し、下枠３２を取付具５０によって下壁部２２に取り付ける。下枠３２の下壁部２２への取り付けは次の通りに行う。
シール材５５を溝部５１８に設けるとともに水密材５６を装着部５１６に装着した取付体５１を予め準備し、この取付体５１の連結片部５１４の各孔に各連結ボルト５３を室内側から挿通する。
次に、取付体５１をＦＲＰ防水層２６の室外面２６１に沿って配置し、固定片部５１２のＦＲＰ防水層２６側の面、シール材５５、水密材５６および下側片部５１５の室内端をＦＲＰ防水層２６の室外面２６１に当接する。続いて、各コーチネジ５２を固定片部５１２の各孔に室外側から挿通し、ＦＲＰ防水層２６および下地板２４にねじ込む。このとき、シール材５５は、各コーチネジ５２の下壁部２２への固定部分に配置し、取付体５１がＦＲＰ防水層２６に圧接することで各コーチネジ５２とＦＲＰ防水層２６との連結部分をシールする。また、シール材５５よりも上方の位置では、水密材５６がＦＲＰ防水層２６の室外面２６１に圧接して水密性能を発揮する。なお、各コーチネジ５２による取付体５１の下壁部２２への固定後、取付体５１に蓋部材５１７を係合し、各コーチネジ５２のヘッド部を覆う。
【００２９】
各コーチネジ５２によって取付体５１を下壁部２２に固定した固定状態では、各連結ボルト５３のヘッド部は、連続片部５１３、連結片部５１４、下側片部５１５およびＦＲＰ防水層２６によって形成される閉鎖空間に位置する。このため、各連結ボルト５３が取付体５１から脱落することがない。
また、本実施形態では、各連結ボルト５３のヘッド部は六角形状であり、連結ボルト５３の軸方向に直交する方向で対向する一対の面は、連続片部５１３および下側片部５１５に当接している。このため、各連結ボルト５３は連続片部５１３および下側片部５１５によって回転止めされている。
【００３０】
次に、取付体５１に下枠３２を連結する。具体的には、連結片部５１４から室外側に突出した各連結ボルト５３の軸部に予め設定した枚数のワッシャー５７を装着し、当該軸部を下枠本体３２１の連結部３２２の各孔に挿通する。そして、各連結ボルト５３にナット５４を螺合し、下枠本体３２１を取付体５１に連結する。なお、連結部３２２には、蓋部材３２４を係合し、連結ボルト５３およびナット５４を室外側から覆う。
【００３１】
ここで、ワッシャー５７による取付体５１と下枠本体３２１との間隔の調整幅は、ＦＲＰ防水層２６の室外面２６１から外壁材２５の室外面２５１までの出幅に応じて適宜設定される。
また、図１，３では連結ボルト５３に装着した複数枚のワッシャー５７を示しているが、例えば、取付体５１と下枠本体３２１との間隔を最小とする場合には、ワッシャー５７を連結ボルト５３に装着せず、下枠本体３２１の室内面を連結片部５１４の下枠３２側の面および上側片部５１１の室外端に当接させる。
【００３２】
このように、取付具５０を介して下枠３２を下壁部２２に取り付ける。なお、ガイド体３２５は、外装障子３３の設置後に下枠本体３２１にビス止めする。
【００３３】
次に、戸車３８を介して外装障子３３を上枠３１にスライド可能に取り付け、ガイドアーム３５の立上げ片部３５２の室内面を下枠本体３２１の対向部３２３に隙間を隔てて対向して配置する。続いて、ガイド体３２５の対向部３２６を立上げ片部３５２の室外面に隙間を隔てて対向して配置し、ガイド体３２５を下枠本体３２１にビス止めする。
このような取付手順でルーバー１を建物躯体２に取り付ける。
【００３４】
なお、前述したように、ＦＲＰ防水層２６の施工後に引き違い窓４が設置された場合には、引き違い窓４の窓下枠４２がＦＲＰ防水層２６よりも室外側に位置した第一の建物躯体２を構成するが、例えば、引き違い窓４の設置後にＦＲＰ防水層２６が施工された場合には、図４に示すように、ＦＲＰ防水層２６の上側部分が窓下枠４２の一部よりも室外側に位置した第二の建物躯体２を構成する。この場合であっても、取付具５０による窓下枠４２の取付手順は、前述した取付手順と同じである。
【００３５】
［本実施形態の効果］
（１）下壁部２２にＦＲＰ防水層２６が施工された後であっても、ＦＲＰ防水層２６の室外面２６１に沿って取付体５１を配置し、配置した取付体５１を各コーチネジ５２によって下壁部２２に固定することで、取付具５０をＦＲＰ防水層２６の施工後に後付施工できる。そして、ルーバー１の下枠３２を連結ボルト５３およびナット５４によって取付体５１に連結することで、下枠３２を下壁部２２に取り付けることができる。
また、ＦＲＰ防水層２６の室外面２６１に沿って配置された取付体５１が、コーチネジ５２によって下壁部２２に固定されるとともに、コーチネジ５２と別体である連結ボルト５３によって取付体５１が下枠３２に連結されることで、ルーバー１から加えられる負荷が取付体５１によって分散され、コーチネジ５２に集中することがなくなる。このため、ルーバー１からの負荷に基づいて取付具５０および下壁部２２間の水密性が低下することを抑制でき、ＦＲＰ防水層２６の防水性を維持できる。
さらに、取付体５１と下枠３２との出幅方向の間隔を調整するワッシャー５７が連結ボルト５３に装着され、または外されることで、面一な外壁面に取り付けられる既存のルーバー１の建物躯体２に対する取付位置を調整でき、適切な位置に配置できる。
（２）コーチネジ５２の下壁部２２への固定部分にシール材５５が配置されるため、下壁部２２に対する取付体５１の当接面全体にシーリング処理を施すなどの必要をなくすことができ、取付体５１および下壁部２２間をシールするのに必要なシール材５５を少なくできる。
（３）取付体５１の溝部５１８に乾式のシール材５５を装着することで、取付体５１をコーチネジ５２によって下壁部２２に固定するだけで、取付体５１と下壁部２２との連結部分をシールでき、また、取付体５１とＦＲＰ防水層２６との間に別途シーリング処理を施す必要をなくし得る。これにより、取付作業性を向上できる。
（４）コーチネジ５２の下壁部２２への固定部分に配置されるシール材５５によって一次防水部分を構成できるうえ、シール材５５よりも上側の位置に水密材５６が装着されることによって二次防水部分を構成でき、防水性を向上できる。
（５）複数の連結ボルト５３は、取付体５１の長手方向において複数のコーチネジ５２間の中間位置にそれぞれ配置されるため、ルーバー１から取付具５０を介して建物躯体２に加わる負荷を当該取付体５１によって効率よく分散でき、ルーバー１からの負荷に基づいて取付具５０および下壁部２２間の水密性が低下することを、より抑制できる。
（６）ルーバー１に連結された各連結ボルト５３に雨水等がつたって浸入しても、当該雨水等が各連結ボルト５３よりも高い位置にある各コーチネジ５２に到達することがなく、防水性を向上できる。
（７）取付体５１と下枠３２との間隔の調整幅は、ＦＲＰ防水層２６の室外面２６１から外壁材２５の室外面２５１までの出幅に応じて設定されるため、面一な外壁面に装着可能に構成された既存のルーバー１を、外壁材２５の室外面２５１よりも室内側に位置したＦＲＰ防水層２６の室外面２６１に適切に取り付けることができる。
（８）例えば、下地板２４とＦＲＰ防水層２６との間にベースプレートやシール材を配置し、このベースプレートに支持ロッドを取り付けてＦＲＰ防水層２６から室外側に突出させ、さらにＦＲＰ防水層２６の室外側から支持ロッドのまわりにシーリング処理を施す場合がある。この場合には、製品取付業者によって下地板２４に支持ロッド付ベースプレートなどを設置し、次に防水業者によってＦＲＰ防水層２６を施工しシーリング処理を施した後、再度製品取付業者によって支持ロッド付ベースプレートに下枠３２を取付けなければならず、製品取付業者が二度手間となり、工程管理が煩雑である。
これに対し、本実施形態に係る取付具５０は、ＦＲＰ防水層２６に対して室外側から固定されるものであるため、製品取付業者は、防水業者によるＦＲＰ防水層２６の施工後に、取付具５０の固定、下枠３２の取り付けなどをまとめて後付施工でき、工程管理を簡略化できる。
【００３６】
［変形例］
本発明は、以上の実施形態で説明した構成のものに限定されず、本発明の目的を達成できる範囲での変形例は、本発明に含まれる。
例えば、前記実施形態では、単層の下地板２４を覆って施工されたＦＲＰ防水層２６を備えた下壁部２２に取付具５０を固定したが、これに限定されない。取付具５０は、例えば図５に示すように、二層の下地板２４を覆って施工されたＦＲＰ防水層２６を備えた第三の建物躯体２の下壁部２２に固定されてもよい。この場合には、ＦＲＰ防水層２６には段部２６２が形成されるため、取付体５１の装着部５１６には、前述した水密材５６に代えて、基部およびヒレ部を有した水密材５６Ａが装着されていてもよい。
【００３７】
なお、図５では、ＦＲＰ防水層２６の施工後に引き違い窓４が設置されているため、窓下枠４２がＦＲＰ防水層２６の上側部分よりも室外側に位置した第三の建物躯体２が構成されているが、例えば図６に示すように、引き違い窓４の設置後に、二層の下地板２４のうちの室外側の下地板２４を設置し、ＦＲＰ防水層２６を施工して第四の建物躯体２を構成してもよい。この場合には、ＦＲＰ防水層２６および室外側の下地板２４の上部は窓下枠４２の一部よりも室外側に位置する。なお、図６に示すＦＲＰ防水層２６には段部２６２が形成されないので、装着部５１６には水密材５６が装着されるとよい。
【００３８】
また、図５，６では、ワッシャー５７を連結ボルト５３に装着せずに取付体５１を下枠３２に連結した状態を示している。この連結状態では、連結片部５１４の下枠３２側の面面および上側片部５１１の室外端は、下枠本体３２１の室内面に当接している。
【００３９】
前記実施形態では、取付体５１は、下枠３２に沿って配置可能な長尺材によって形成されているが、これに限定されず、複数のピース材によって形成されてもよい。ピース材によって形成される取付体５１に挿通されるコーチネジ５２、連結ボルト５３の数は、一本であってもよく、また複数本であってもよい。
【００４０】
前記実施形態では、複数の連結ボルト５３は、取付体５１の長手方向において複数のコーチネジ５２間の略中間位置に配置されているが、これに限定されず、例えば、図７に示すように、複数の連結ボルト５３および複数のコーチネジ５２が、それぞれ鉛直線上に位置していてもよい。
【００４１】
前記実施形態では、各連結ボルト５３の高さ位置が、各コーチネジ５２の高さ位置よりも低く設定されているが、これに限定されない。例えば、各連結ボルト５３が各コーチネジ５２よりも高い位置または同じ高さ位置に配置されてもよく、この場合でも、複数の連結ボルト５３が取付体５１の長手方向において複数のコーチネジ５２間の略中間位置に配置されていれば、連結ボルト５３をつたって浸入する雨水等がコーチネジ５２に到達しにくい構成となり、防水性を維持できる。
【００４２】
前記実施形態では、取付具５０は、シール材５５よりも上側の位置に水密材５６または水密材５６Ａを備えているが、当該水密材５６，５６Ａの構成を省略してもよい。この場合、装着部５１６の構成も省略してもよい。
【００４３】
前記実施形態では、シール材５５は、乾式シール材によって形成されているが、これに限定されず、例えば、湿式シール材によって形成され、コーチネジ５２周りに施工されてもよい。
また、前記実施形態では、シール材５５を備えているが、この構成を省略してもよい。この場合であっても、水密材５６，５６Ａによって取付具５０および下壁部２２間の水密性を維持し得る。
【００４４】
前記実施形態では、取付体５１には、取付体５１の長手方向に延びた溝部５１８が形成されているが、これに限定されず、固定片部５１２の各孔の周囲部分に形成された複数の溝部が形成されていてもよい。この場合には、当該複数の溝部に配置されるシール材５５は複数のピース材によって形成される。
【００４５】
前記実施形態では、調整材としてワッシャー５７を採用したが、これに限定されず、例えば適宜長さにカットされたパイプを採用してもよい。
【００４６】
前記実施形態では、建物用付設物としてルーバー１を説明したが、格子などの外装建具であってもよく、また、バルコニー、ベランダなどの外装構造体であってもよい。
また、前記実施形態では、建具として引き違い窓４を説明したが、外開き窓、折り畳み窓等の各種窓であってもよく、また、引き戸、開き戸、折れ戸等の各種戸であってもよい。
【符号の説明】
【００４７】
１…ルーバー（建物用付設物）、２…建物躯体、２１…上壁部、２２…下壁部、２３…側壁部、２４…下地板、２５…外壁材、２５１，２６１…室外面、２６…ＦＲＰ防水層、２６２…段部、３…バルコニー、３１…上枠、３１１，３１２…ガイドレール、３２…下枠、３２１…下枠本体、３２２…連結部、３２３，３２６…対向部、３２４，５１７…蓋部材、３２５…ガイド体、３３…外装障子、３５…ガイドアーム、３５１…延出片部、３５２…立上げ片部、３６…縦框、３７…羽根部材、３８…戸車、４…引き違い窓（建具）、４１…窓上枠、４２…窓下枠、５…開口、５０…取付具、５１…取付体、５１１…上側片部、５１２…固定片部、５１３…連続片部、５１４…連結片部、５１５…下側片部、５１６…装着部、５１８…溝部、５２…コーチネジ（固定具）、５３…連結ボルト（連結具）、５４…ナット、５５…シール材、５６，５６Ａ…水密材、５７…ワッシャー、６…固定ネジ、７…摺動部材。
【図１】
0006444762.tif 000002
【図２】
0006444762.tif 000003
【図３】
0006444762.tif 000004
【図４】
0006444762.tif 000005
【図５】
0006444762.tif 000006
【図６】
0006444762.tif 000007
【図７】
0006444762.tif 000008